【手続補正書】
【提出日】平成21年6月15日(2009.6.15)
【手続補正１】
【補正対象書類名】特許請求の範囲
【補正対象項目名】全文
【補正方法】変更
【補正の内容】
【特許請求の範囲】
【請求項１】
手術装置を設定するシステムであって、
前記手術装置に含まれ、及び、データを受信するように動作可能なインタフェース、
データセットを格納且つ送信するよう動作可能な無線識別（ＲＦＩＤ）タグを備えるポータブルコンポーネント、
前記手術装置に含まれ、及び、基準を格納するメモリ、及び、
前記手術装置に含まれ、及び、前記ＲＦＩＤタグから送信され且つ前記インタフェースで受信したデータセットに基づいて、前記手術装置を設定するように動作可能なコントローラ、
を有するシステム。
【請求項２】
前記インタフェースは、前記ポータブルコンポーネントのＲＦＩＤタグを作動させるために、無線（ＲＦ）指示を送信するように動作可能なＲＦＩＤリーダ、及び、該ＲＦＩＤリーダに前記ＲＦ指示を送信させるように動作可能なマイクロコントローラを備えるＲＦＩＤインタフェースである請求項１に記載のシステム。
【請求項３】
前記ポータブルコンポーネントは、ユーザに取り付けるために動作可能な識別タグである請求項１に記載のシステム。
【請求項４】
前記基準は、前記メモリに格納されるユーザ認証データであり、及び、
前記コントローラは、前記ポータブルコントローラに関係するユーザが、前記ＲＦＩＤタグから送信され且つ前記インタフェースで受信された前記データセットが前記メモリに格納された前記基準を満たすかどうかに基づいて、前記手術装置を使用する権限を与えられているかどうかを判断するように動作可能であり、及び、
前記ＲＦＩＤタグから受信した前記データセットは、前記ユーザが前記手術装置を使用する権限を与えられているかどうかを判断するために、前記コントローラで前記ユーザ承認データと比較される請求項１に記載のシステム。
【請求項５】
前記基準は、アルゴリズムであり、
前記コントローラは、前記ポータブルコンポーネントに関係するユーザが、前記ＲＦＩＤタグから送信され且つ前記インタフェースで受信されたデータセットが前記メモリに格納された前記基準を満たすかどうかに基づいて前記手術装置を使用するように権限を与えられているかどうか判断するようにさらに動作可能であり、及び、
前記コントローラは、前記ユーザが前記手術装置を使用するように権限を与えられているかどうかを判断するために、前記ＲＦＩＤタグから受信した前記データセットに前記アルゴリズムを適用する請求項１に記載のシステム。
【請求項６】
前記ＲＦＩＤタグは、受動タグである請求項１に記載のシステム。
【請求項７】
前記ＲＦＩＤタグは、能動タグである請求項１に記載のシステム。
【請求項８】
前記インタフェースは、データを受信及び送信するように動作可能であり、前記ＲＦＩＤタグは、第２データセットを受信及び格納するように動作可能である請求項１に記載のシステム。
【請求項９】
前記インタフェースは、前記第２データセットと共に前記ＲＦＩＤタグをプログラムするように動作可能であり、前記データセット及び前記第２データセットは異なる請求項８に記載のシステム。
【請求項１０】
前記データセットは、患者識別データ、外科医カスタム設定データ、サービスデータ、メンテナンスデータ、手術装置キャリブレーションデータ、及び手術装置設定データからなるグループから選択されたデータを含む請求項１に記載のシステム。
【請求項１１】
前記手術装置を設定することは、前記データセットに基づいて選択されたデータフィールドにデータ投入することを有する請求項１に記載のシステム。
【請求項１２】
前記手術装置を設定することは、前記データセットに基づいた使用に備えて、既定の値に選択された手術装置パラメータを設定することを含む請求項１に記載のシステム。
【請求項１３】
前記手術装置を設定することは、修理又はメンテナンスに備えてサービス設定に前記手術装置を配置することを含む請求項１に記載のシステム。
【請求項１４】
前記データセットで前記ＲＦＩＤタグをプログラムするように動作可能な入力装置インタフェースを有する入力装置をさらに備え、
前記入力装置は、前記手術装置とは異なる請求項１に記載のシステム。
【請求項１５】
前記インタフェース及び前記入力装置インタフェースは、同じインタフェースである請求項１４に記載のシステム。
【請求項１６】
前記手術装置は、眼のレーザ、硝子体網膜手術装置、及び水晶体超音波乳化吸引システムからなるグループから選択される請求項１に記載のシステム。
【請求項１７】
前記コントローラは、前記ポータブルコンポーネントに関係するユーザが、前記ＲＦＩＤタグから送信され且つ前記インタフェースで受信されるデータセットが前記メモリに格納される前記基準を満たすかどうかに基づいて前記手術装置を使用する権限を与えられているかどうかを判断するようにさらに動作可能であり、及び、
前記ユーザが前記手術装置を使用する権限を与えられていない場合、前記手術装置を動作しないようにするように動作可能である請求項１に記載のシステム。
【請求項１８】
前記データセットは、暗号化されており、前記コントローラは、暗号化データを復号するように動作可能である請求項１に記載のシステム。
【請求項１９】
手術装置を設定するシステムであって、
前記手術装置に含まれ、及び、データを受信するように動作可能なインタフェース、
データセットを格納且つ送信するよう動作可能な識別子を備えるポータブルコンポーネント、
前記手術装置に含まれ、及び、基準を格納するメモリ、及び、
前記手術装置に含まれ、及び、前記ＲＦＩＤタグから送信され且つ前記インタフェースで受信したデータセットが、前記メモリに格納された前記基準を満たすかどうかに基づいて、前記ポータブルコンポーネントに関係するユーザが、前記手術装置を使用する権限を与えられているかどうかを判断するように動作可能であるコントローラ、
を有するシステム。
【請求項２０】
前記識別子は、ＲＦＩＤタグであり、
前記インタフェースは、前記ポータブルコンポーネントのＲＦＩＤタグを作動させるために、無線（ＲＦ）指示を送信するように動作可能なＲＦＩＤリーダ、及び、該ＲＦＩＤリーダに前記ＲＦ指示を送信させるように動作可能なマイクロコントローラを備えるＲＦＩＤインタフェースである請求項１９に記載のシステム。
【請求項２１】
前記ポータブルコンポーネントは、ユーザに取り付けるために動作可能な識別タグである請求項１９に記載のシステム。
【請求項２２】
前記基準は、前記メモリに格納されるユーザ認証データであり、及び、
前記識別子から受信した前記データセットは、前記ユーザが前記手術装置を使用する権限を与えられているかどうかを判断するために、前記コントローラで前記ユーザ承認データと比較される請求項１９に記載のシステム。
【請求項２３】
前記基準は、アルゴリズムであり、
前記コントローラは、前記ユーザが前記手術装置を使用するように権限を与えられているかどうかを判断するために、前記識別子から受信した前記データセットに前記アルゴリズムを適用する請求項１９に記載のシステム。
【請求項２４】
前記インタフェースは、データを受信及び送信するように動作可能であり、前記識別子は、第２データセットを受信及び格納するように動作可能である請求項１９に記載のシステム。
【請求項２５】
前記インタフェースは、前記第２データセットと共に前記識別子をプログラムするように動作可能であり、前記データセット及び前記第２データセットは異なる請求項２４に記載のシステム。
【請求項２６】
前記データセットは、患者識別データ、外科医カスタム設定データ、サービスデータ、メンテナンスデータ、手術装置キャリブレーションデータ、及び手術装置設定データからなるグループから選択されたデータを含む請求項１９に記載のシステム。
【請求項２７】
前記手術装置を設定することは、前記データセットに基づいて選択されたデータフィールドにデータ投入することを有する請求項１９に記載のシステム。
【請求項２８】
前記手術装置を設定することは、前記データセットに基づいた使用に備えて、既定の値に選択された手術装置パラメータを設定することを含む請求項１９に記載のシステム。
【請求項２９】
前記手術装置は、眼のレーザ、硝子体網膜手術装置、及び水晶体超音波乳化吸引システムからなるグループから選択される請求項１９に記載のシステム。
【請求項３０】
前記ユーザが前記手術装置を使用する権限を与えられていない場合、前記手術装置を動作しないようにするように動作可能である請求項１９に記載のシステム。
【請求項３１】
前記データセットは、暗号化されており、前記コントローラは、暗号化データを復号するように動作可能である請求項１９に記載のシステム。
【請求項３２】
手術装置を設定する方法であって、
データセットを格納且つ送信するよう動作可能な識別子を備えるポータブルコンポーネントを提供し、
基準を設け、前記手術装置のメモリに該基準を格納し、
前記手術装置にデータを受信するように動作可能なインタフェースへ前記識別子から前記識別子内に格納されたデータセットを送信し、
前記識別子から送信され且つ前記インタフェースで受信したデータセットが、前記メモリに格納された前記基準を満たすかどうかに基づいて、前記ポータブルコンポーネントに関係するユーザが、前記手術装置を使用する権限を与えられているかどうかを、前記手術装置のコントローラで判断することを、
有する方法。
【請求項３３】
前記識別子は、ＲＦＩＤタグであり、
前記インタフェースは、前記ポータブルコンポーネントのＲＦＩＤタグを作動させるために、無線（ＲＦ）指示を送信するように動作可能なＲＦＩＤリーダ、及び、該ＲＦＩＤリーダに前記ＲＦ指示を送信させるように動作可能なマイクロコントローラを備えるＲＦＩＤインタフェースである請求項３２に記載の方法。
【請求項３４】
前記ポータブルコンポーネントは、ユーザに取り付けるために動作可能な識別タグである請求項３２に記載の方法。
【請求項３５】
前記基準は、前記メモリに格納されるユーザ認証データであり、及び、
前記識別子から受信した前記データセットを、前記ユーザが前記手術装置を使用する権限を与えられているかどうかを判断するために、前記コントローラで前記ユーザ承認データと比較することをさらに有する請求項３２に記載の方法。
【請求項３６】
前記基準は、アルゴリズムであり、
前記ユーザが前記手術装置を使用するように権限を与えられているかどうかを判断するために、前記識別子から受信した前記データセットに前記アルゴリズムを前記コントローラで適用することをさらに有する請求項３２に記載の方法。
【請求項３７】
前記インタフェースは、データを受信及び送信するように動作可能であり、前記識別子は、第２データセットを受信及び格納するように動作可能である請求項３２に記載の方法。
【請求項３８】
前記インタフェースは、前記第２データセットと共に前記識別子をプログラムするように動作可能であり、前記データセット及び前記第２データセットは異なる請求項３２に記載の方法。
【請求項３９】
前記データセットは、患者識別データ、外科医カスタム設定データ、サービスデータ、メンテナンスデータ、手術装置キャリブレーションデータ、及び手術装置設定データからなるグループから選択されたデータを含む請求項３２に記載の方法。
【請求項４０】
前記手術装置を設定することは、前記データセットに基づいて選択されたデータフィールドにデータ投入することを有する請求項３２に記載の方法。
【請求項４１】
前記手術装置を設定することは、前記データセットに基づいた使用に備えて、既定の値に選択された手術装置パラメータを設定することを含む請求項３２に記載の方法。
【請求項４２】
入力装置インタフェースを有する入力装置でデータセットと共に前記識別子をプログラミングし、
前記入力装置は前記手術装置と異なる請求項３２に記載の方法。
【請求項４３】
前記インタフェースと前記入力装置インタフェースとは同じインタフェースである請求項４２に記載の方法。
【請求項４４】
前記手術装置は、眼のレーザ、硝子体網膜手術装置、及び水晶体超音波乳化吸引方法からなるグループから選択される請求項３２に記載の方法。
【請求項４５】
前記ユーザが前記手術装置を使用する権限を与えられていない場合、前記手術装置を動作しないようにするように動作可能である請求項４４に記載の方法。
【請求項４６】
前記データセットは、暗号化されており、前記コントローラは、暗号化データを復号するように動作可能である請求項３２に記載の方法。